(57)【要約】【課題】作業性に優れた取付管の閉塞装置を提供する。【解決手段】円筒状の本体２１と、この本体２１の外周の長さ方向両側に設けた一対のゴム製の膨張スリーブ２３、２３と、から拡径具１９を構成し、本体２１の長さ方向中央部に充填材供給孔を設けておく。また、オーバーラップ部分３９が形成されるように金属製の薄肉プレート４１を円筒ロール状に巻くことにより注入保持具３７を形成する。注入保持具３７を膨張スリーブ２３、２３の外周に搭載して閉塞装置を構成する。【選択図】図６
2015098689.tif 000002
【特許請求の範囲】
【請求項１】
地上側の排水設備と地中に埋設された下水道本管とを連絡する取付管を硬化材の充填により閉塞する取付管の閉塞方法であって、
外周に膨張スリーブが設けられた拡大具及び網目状又はメッシュ状の注入口が形成されているロール状の筒状体又は薄肉筒状体を準備する工程と、
前記拡大具の外周に前記筒状体を取り付けて前記下水道本管内に配置し、前記取付管の管口位置まで移動させる工程と、
前記拡大具の前記膨張スリーブを膨張させ、前記注入口が前記取付管の前記管口に接続されるように前記筒状体を押し広げる工程と、
液状の又は流動性を有する充填材を、前記拡大具から前記筒状体の内側に供給し、前記注入口を通過させて前記取付管内に充填する工程と、
前記膨張スリーブを収縮させ、前記拡大具を前記筒状体から抜き出して回収する工程と、を備えたことを特徴とする取付管の閉塞方法。
【請求項２】
前記筒状体には縮まる方向への変形を阻止するストッパが設けられている、ことを特徴とする請求項１記載の取付管の閉塞方法。
【請求項３】
前記拡大具は筒状の本体を有し、この本体の外周の長さ方向中央には充填材供給口が形成されていて、前記膨張スリーブは前記本体の外周の前記充填材供給口の長さ方向両側に設けられている、ことを特徴とする請求項１又は２記載の取付管の閉塞方法。
【請求項４】
前記筒状体の周方向端部にはシール材が設けられている、ことを特徴とする請求項１、２又は３記載の取付管の閉塞方法。
【請求項５】
前記シール材は水膨張ゴム製である、ことを特徴とする請求項１、２、３又は４記載の取付管の閉塞方法。
【請求項６】
地上側の排水設備と地中に埋設された下水道本管とを連絡する取付管を硬化材の充填により閉塞する際に用いる取付管の閉塞装置であって、
外周に膨張スリーブが設けられた拡大具と、この拡大具の外周に取り付けられた広がり可能なロール状の筒状体又は薄肉筒状体と、を備え、
前記筒状体には網目状又はメッシュ状の注入口が形成されている、ことを特徴とする取付管の閉塞装置。
【請求項７】
前記筒状体には縮まる方向への変形を阻止するストッパが設けられている、ことを特徴とする請求項６記載の取付管の閉塞装置。
【請求項８】
前記拡大具は筒状の本体を有し、この本体の外周の長さ方向中央には充填材供給口が形成されていて、前記膨張スリーブは前記本体の外周の前記充填材供給口の長さ方向両側に設けられている、ことを特徴とする請求項６又は７記載の取付管の閉塞装置。
【請求項９】
前記筒状体の周方向端部にはシール材が設けられている、ことを特徴とする請求項６、７又は８記載の取付管の閉塞装置。
【請求項１０】
前記シール材は水膨張ゴム製である、ことを特徴とする請求項６、７、８又は９記載の取付管の閉塞装置。
【発明の詳細な説明】
【技術分野】
【０００１】
本発明は、地上側の排水設備と地中に埋設された下水道本管とを連絡するための取付管のうちの不要なものを閉塞する取付管の閉塞方法及び取付管の閉塞装置に関する。
【背景技術】
【０００２】
各家庭又は事業所から排水される下水は汚水桝に導かれ、この汚水桝と地中に埋設された下水道本管を連絡する取付管を通って下水道本管に流れ込むが、家屋などの建造物の改築又は建替えにともなって新たな汚水桝及び取付管が設けられる場合には、既存の汚水桝及び取付管は使用されなくなるのが普通である。このような不要な汚水桝及び取付管を放置しておけば、取付管が老朽化して破損し、取付管の内部に周囲の土砂が大量に入り込む可能性がある。そして、取付管の内部に周囲の土砂が大量に入り込めば、地盤が陥没するおそれがあるし、入り込んだ大量の土砂が下水道本管内に流れ込むおそれもある。
【０００３】
そこで、例えば特許文献１に示すように、充填管が接続された閉塞面と２つのバンドとを有して構成された環状体を取付管口位置に配置し、充填管から取付管内に充填材を注入して硬化させるといった不要な取付管の閉塞方法が提案されている。このような閉塞方法を用いれば、充填管から取付管内に注入された充填材を下水道本管内に逆流しないように保持して取付管内で硬化させることができる。
【先行技術文献】
【特許文献】
【０００４】
【特許文献１】特開２０１３−１４８８５号公報
【発明の概要】
【発明が解決しようとする課題】
【０００５】
しかしながら、特許文献１の取付管の閉塞方法では、取付管内への充填材の注入が終了したら環状体を取り外して回収しなければならないので作業が煩雑となる。
【０００６】
そこで本発明は、作業性に優れた取付管の閉塞方法及び取付管の閉塞装置の提供を目的とする。
【課題を解決するための手段】
【０００７】
この目的を達成するための本発明の取付管の閉塞方法は、地上側の排水設備と地中に埋設された下水道本管とを連絡する取付管を硬化材の充填により閉塞する取付管の閉塞方法であって、外周に膨張スリーブが設けられた拡大具及び網目状又はメッシュ状の注入口が形成されているロール状の筒状体又は薄肉筒状体を準備する工程と、前記拡大具の外周に前記筒状体を取り付けて前記下水道本管内に配置し、前記取付管の管口位置まで移動させる工程と、前記拡大具の前記膨張スリーブを膨張させ、記注入口が前記取付管の前記管口に接続されるように前記筒状体を押し広げる工程と、液状（スラリーやペースト状のものを含む）の充填材又は流動性を有する充填材を、前記拡大具から前記筒状体の内側に供給し、前記注入口を通過させて前記取付管内に充填する工程と、前記膨張スリーブを収縮させ、前記拡大具を前記筒状体から抜き出して回収する工程と、を備えたものである。
【０００８】
筒状体は、例えばプレート体を端部同士がオーバーラップ状態となるようにロール状に巻くことにより形成されていて、例えば広がる方向に附勢力を有している。筒状体は縮まった状態で、例えば膨張スリーブが収縮している拡大具の外周に取り付けられる。ここでは筒状体は縮まった状態に維持され、筒状体が取り付けられた拡大具は下水道本管内を移動できる大きさとなっている。筒状体を取付管の管口位置まで移動させたら、拡大具の膨張スリーブを膨張させて筒状体を押し広げる。筒状体は、例えば端部同士のオーバーラップ部分が短くなるように変形して、例えば下水道本管の内周面に押し付けられるまで押し広げられる。ここでは、筒状体を押し広げたときに注入口又は少なくとも注入口の一部が取付管の管口と一致し、接続されるようにしておく。そして、液状の又は流動性を有する充填材を拡大具から筒状体の内側に供給する。充填材は、例えば筒状体の注入口を有する部分で塞がれた拡大具の外周の溝部内に供給される。例えば、拡大具として、筒状の本体と、この本体の外周の長さ方向中央に設けられた充填材供給口と、この本体の外周の充填材供給口の長さ方向両側に設けられた膨張スリーブと、を備え、膨張スリーブを膨張させたときに膨張スリーブの間に、充填材供給口を有する環状の供給溝（例えば十分な深さの供給溝）が形成されるものを用いることができる。ここでは、例えば注入口が本体の長さ方向中央に位置するように筒状体（注入口は例えば筒状体の長さ方向中央に形成される）が膨張スリーブ上に取り付けられる。膨張スリーブを膨張させたときには、膨張スリーブの間に筒状体で覆われた環状の供給溝が形成されている。例えば、このような溝部又は供給溝に充填材を供給して充填すると、充填材は筒状体の注入口から溢れて取付管内に注入される。
【０００９】
筒状体に縮まる方向への変形を阻止するストッパが設けられていれば、膨張スリーブを収縮させ、拡大具を筒状体から抜き出して回収しても、筒状体が縮まってしまうことがない。また、このストッパは、筒状体の広がる方向への附勢力に抗して筒状体を広がらないように保持する保持機能を有することができるが、保持機能の保持力は小さく設定される。したがって、膨張スリーブを膨張させれば、保持力に抗して筒状体を押し広げることができる。
【００１０】
筒状体の周方向端部にはシール材を設けておくのが好ましい。シール材により筒状体のオーバーラップ部分から充填材が漏れるのを防止できる。シール材は水膨張ゴム製であることが効果的である。
【００１１】
また、この目的を達成するための本発明の取付管の閉塞装置は、地上側の排水設備と地中に埋設された下水道本管とを連絡する取付管を硬化材の充填により閉塞する際に用いる取付管の閉塞装置であって、外周に膨張スリーブが設けられた拡大具と、この拡大具の外周に取り付けられた広がり可能なロール状の筒状体又は薄肉筒状体と、を備え、前記筒状体には網目状又はメッシュ状の供給口が形成されているものである。
【発明の効果】
【００１２】
本発明によれば不必要な取付管を効率よく閉塞することができる。
【図面の簡単な説明】
【００１３】
【図１】一般家庭のための下水処理構造を示す図である。
【図２】拡径具の斜視図である。
【図３】注入保持具の斜視図である。
【図４】注入保持具の別の斜視図である。
【図５】注入保持具の断面図である。
【図６】本発明に係る取付管の閉塞装置の斜視図である。
【図７】閉塞装置を取付管の接続位置まで移動させた状態を示す図である。
【図８】注入保持具を下水道本管の内周面に押し付けた状態を示す図である。
【図９】取付管内に充填材を供給し充填した状態を示す図である。
【図１０】注入保持具内から拡径具を抜き出した状態を示す図である。
【発明を実施するための形態】
【００１４】
以下、図面を参照して本発明の実施の形態を説明する。
【００１５】
まず、図１を参照して本発明に係る取付管の閉塞方法を適用するための取付管について説明する。
【００１６】
一般の家屋１の敷地３にはトイレや浴場からの汚水を受け入れる私的汚水枡５、７が設けられ、この私的汚水枡５、７は敷地３の道路９との境界位置に設けられた公共汚水枡１１に接続されている。公共汚水枡１１からは取付管１３が道路９側に延びていて、この取付管１３は、道路９に沿って延びるように地中に埋設された下水道本管１５に接続されている。家屋１は取り壊されていて、私的汚水枡５、７及び公共汚水枡１１といった地上側の排水設備及び取付管１３は不使用状態となっている。
【００１７】
次に、図２乃至図６を参照して本発明に係る取付管の閉塞方法を実施するための取付管の閉塞装置を説明する。
【００１８】
取付管の閉塞装置１７（図６参照）を構成する拡径具１９（拡大具）は、長さ方向両端が閉塞された円筒状の本体２１と、この本体２１の外周の長さ方向両側に設けられた一対のゴム製の膨張スリーブ２３、２３と、本体２１の長さ方向両端に設けられた走行車輪装置２５、２５と、を備えていて、一対の膨張スリーブ２３、２３は、本体２１の長さ方向中央部分２７が露出するように間隔を設けて本体２１に取り付けられている。走行車輪装置２５のそれぞれの走行車輪２９は、弾性アーム３０の先端部に回転可能に取り付けられ、弾性アーム３０のバネ力に抗して、例えば本体２１の中心軸方向に変位できように構成されていて、４つの走行車輪２９は、例えばすぼまるように弾性的に変位することができる。本体２１の長さ方向中央部分２７には２つの充填材供給口３１、３１が設けられている。本体２１の一端部からは、それぞれの膨張スリーブ２３、２３に圧縮空気を供給するエアチューブ３３、３３と、それぞれの充填材供給口３１、３１に充填材を送る充填材チューブ３５、３５が外側に延びていて、エアチューブ３３、３３はコンプレッサ（図示せず）に接続され、充填材チューブ３５、３５は充填材ポンプ（図示せず）に接続されている。これらのエアチューブ３３及び充填材チューブ３５は束ねられて一本の作動ケーブル３６を構成している。
【００１９】
同じく取付管の閉塞装置１７を構成する注入保持具３７（筒状体）は、オーバーラップ部分３９が生じるように金属製（例えばステンレス製）の薄肉プレート４１を円筒ロール状に巻くことにより形成されている。注入保持具３７の長さ方向中央部には、一対の膨張スリーブ２３、２３の間の隙間よりも幅が細く（例えば１０ｍｍの幅）、かつ、周方向長さが９０度又はほぼ９０度（下水道本管１５の内周面に押し付けた場合）に対応している注入開口４３が形成されていて、この注入開口４３の周囲に網目片４５（例えば金網片）の外周が接着材４６で固定されることにより網目状の注入口４７（例えば２ｍｍメッシュ）が構成されている。なお、注入口４７の周方向長さは１２０度又はほぼ１２０度（下水道本管１５の内周面に押し付けた場合）に対応するように設定することができる。あるいは、２００ｍｍ又は２５０ｍｍの直径の下水道本管１５に対して注入口４７の周方向長さをほぼ２００ｍｍとすることもできる。注入保持具３７の周方向一端側（オーバーラップ部分３９で内側に位置する側）の外周面には、長さ方向両端部及び長さ方向中央部に長さ方向等間隔で３本のストッパバンド４９（ストッパ）の基部５１が固定して取り付けられ、注入保持具３７の周方向他端部（オーバーラップ部分３９で外側に位置する端部）には、それぞれのストッパバンド４９の先端側を差し込むための３つの差込孔５３が形成されている。ただし、長さ方向中央のストッパバンド４９は設けないでおくことができる。ストッパバンド４９の先端側は基部５１を中心として注入保持具３７の周方向一端部から持ち上がるように変形可能である。また、注入保持具３７の周方向両端部には水膨張ゴム製のシール材５５、５７が巻かれて又は嵌められて固定されている。なお、注入保持具３７には長さ方向両端部及び長さ方向中央部にそれぞれ環状の凹部５８が形成されていて、ストッパバンド４９の基部５１はそれぞれ、この環状の凹部５８内に固定されている。また、注入口４７は長さ方向中央の環状の凹部５８に形成されている。
【００２０】
ストッパバンド４９の先端側には、ストッパバンド４９の長さ方向等間隔で、先端側かつ内側に傾斜しながら内側に突出するストッパ片５９が複数打ち抜き形成されている。また、注入保持具３７の差込孔５３の周方向他端から注入保持具３７の周方向他端までの支持部分６１は、先端側かつ外側に向かって傾斜して短く延びる傾斜個所６３及びこの傾斜個所６３から周方向に延びる周方向個所６５によって形成され、ストッパバンド４９は、ストッパ片５９が注入保持具３７の周方向他端に当接し、このストッパ片５９に先端側で隣接する別のストッパ片５９及び別のストッパ片５９の付根側部６７が支持部分６１に乗り上げて支えられるように差込孔５３に差し込まれていて、ストッパバンド４９の先端側は注入保持具３７の周方向他端部の内側に入り込み、注入保持具３７の支持部分６１は、注入保持具３７の周方向一端側とストッパバンド４９とに挟まれている。したがって、注入保持具３７は、ストッパ片５９が注入保持具３７の周方向他端に当接することにより縮径方向の変形が阻止され、隣接するストッパ片５９が支持部分６１の傾斜個所６３と係合することにより拡径方向の変形が抑制されるが、注入保持具３７に押し広げ力を作用させるとストッパ片５９が相対的に支持部分６１に乗り上げて支持部分６１を通過するので、注入保持具３７は拡径することとなる。なお、注入保持具３７は常に拡径方向に附勢されている。また、ストッパバンド４９の差込孔５３への差込量が異なる場合には、異なるストッパ片５９が注入保持具３７の周方向他端に当接し、支持部分６１の傾斜個所６３と係合することとなる。
【００２１】
このような注入保持具３７は、例えば最も拡径した状態（図３及び図４に示す状態）で拡径具１９の膨張スリーブ２３、２３の周りに配置する。そして、ストッパ片５９が注入保持具３７の周方向他端に引っかからないようにしながらストッパバンド４９の差込孔５３への差込量を増やしていき、ずれにくい状態となるまで縮径させて拡径具１９に搭載する。あるいは、ストッパバンド４９を差込孔５３から抜いておき、薄肉プレート４１を膨張スリーブ２３、２３の周りに配置してからストッパバンド４９を差込孔５３に差し込み、ストッパ片５９が注入保持具３７の周方向他端に引っかからないようにしながらストッパバンド４９の差込孔５３への差込量を増やしていき、ずれにくい状態となるまで縮径させて拡径具１９に搭載する。ただし、注入保持具３７の縮径作業が煩雑又は困難な場合には、最も縮径している状態（図５に示す状態）又は拡径具１９の収縮している膨張スリーブ２３、２３に被せるのに必要なだけ拡径させた状態で注入保持具３７を拡径具１９に搭載する。このようにして図６に示すような取付管の閉塞装置１７が構成される。なお、注入保持具３７は、注入口４７が本体２１の長さ方向中央部分２７と一致するように拡径具１９に搭載される。
【００２２】
次に、図７乃至図１０参照して取付管１３を閉塞装置１７を用いて閉塞する場合を概略的に説明する。
【００２３】
まず、取付管の閉塞装置１７をマンホール（図示せず）から下水道本管１５内に配置し、作動ケーブル３６で押し込み、又は引っ張って取付管１３の接続位置まで移動させ、注入保持具３７の注入口４７を取付管１３の管口６９と一致させる（図７：図では便宜上、取付管１３を垂直方向に延びるように表示している）。次に、エアチューブ３３、３３から膨張スリーブ２３、２３に圧縮空気を供給してこの膨張スリーブ２３、２３を膨張させる。膨張スリーブ２３、２３を膨張させると、注入保持具３７は、ストッパバンド４９を差込孔５３から相対的に引き出しながら拡径していく。注入保持具３７が下水道本管１５の内周面に押し付けられ、注入保持具３７の注入口４７が取付管１３の管口６９に接続されたら、膨張スリーブ２３、２３への圧縮空気の供給を停止する（図８）。注入口４７は十分な周方向長さを有しているので、注入保持具３７の拡径にともなって取付管１３の管口６９から外れてしまうおそれは少ないが、注入口４７の位置が大きくずれないような手段を施しておくことも考えられる。ここでは、例えば多くのストッパ片５９がつぶれた状態となり、また、膨張スリーブ２３、２３の間に、注入口４７が形成された注入保持具３７の部分で塞がれた大きな深さの環状溝７１が形成される。そして、充填材チューブ３５、３５から充填材供給孔３１、３１に充填材を送り、環状溝７１内に充填材７３を放出する。充填材７３が環状溝７１内充填されると、充填材７３は注入保持具３７の注入口４７を通過して取付管１３内に供給され、そして充填される（図９）。ここで、充填材７３が注入保持具３７のオーバーラップ部分３９から漏れ出そうになっても、充填材７３が水膨張ゴム製のシール材５５、５７に触れたときにこのシール材５５、５７が膨張して流出路を密封し遮断するので、充填材７３が下水道本管１５内に漏れてしまうのが効果的に防止される。続いて直ちに又は取付管１３内の充填材７３の硬化が多少進行したときに膨張スリーブ２３、２３内の空気を抜いて膨張スリーブ２３、２３を収縮させ、作動ケーブル３６で引っ張って注入保持具３７内から拡径具１９を抜き出して回収する（図１０）。充填材７３は未硬化状態又は半硬化状態であるが、注入口４７は網目状なので充填材７３は下水道本管１５内に落下せず取付管１３内に保持されて硬化する。また、充填材７３が未硬化状態又は半硬化状態のうちに拡径具１９を注入保持具３７内から抜き出して回収するので、充填材７３の硬化により抜き出しに支障が生じるといったことはないし、下水道本管１５内（特に注入保持具３７の配置個所）及び拡径具１９の清掃も容易である。そして、ストッパ片５９と注入保持具３７の周方向他端との当接により注入保持具３７は下水道本管１５の内周面に押し付けられた状態に保持されるので、注入保持具３７を回収しなくても下水処理機能に支障は生じない。なお、ここでは充填材７３としてセメントペーストやセメントミルクを用いているが、２液硬化型の硬化性樹脂などを用いることもできる。２液硬化型の硬化性樹脂を用いる場合には、本材と硬化材とを別々の充填材供給孔３１、３１から放出する。
【産業上の利用可能性】
【００２４】
本発明の取付管の閉塞方法及び取付管の閉塞装置は一般家庭や事業所の下水処理施設に適用することができる。
【符号の説明】
【００２５】
１１                公共汚水枡（地上側の排水設備）
１３                取付管
１５                下水道本管
１９                拡径具（拡大具）
２３                膨張スリーブ
３７                注入保持具（筒状体）
４７                注入口
７３                充填材
【図１】
2015098689.tif 000003
【図２】
2015098689.tif 000004
【図３】
2015098689.tif 000005
【図４】
2015098689.tif 000006
【図５】
2015098689.tif 000007
【図６】
2015098689.tif 000008
【図７】
2015098689.tif 000009
【図８】
2015098689.tif 000010
【図９】
2015098689.tif 000011
【図１０】
2015098689.tif 000012